(57)【特許請求の範囲】
【請求項１】
放送信号を受信し、所定周期毎に、現在受信中の放送信号にデータが送信されることを確認できることを特徴とする特殊データが多重化されているか否かを所定時間判定する情報有無判定手段と、この情報有無判定手段の判定結果を報知する報知手段とを有する多重放送受信装置であって、
現在受信中の放送信号の受信状態を検出する受信状態検出手段と、
前記受信状態検出手段にて現在受信中の放送信号の受信状態が所定レベル未満となると、前記情報有無判定手段の判定時間である所定時間を短く設定制御すると共に、
前記受信状態検出手段にて現在受信中の放送信号の受信状態が所定レベル以上となると、前記情報有無判定手段の判定時間である所定時間を長く設定制御する制御手段とを有することを特徴とする多重放送受信装置。
【請求項２】
請求項１に記載の多重放送受信装置は、さらに、
前記情報有無判定手段による判定の結果、現在受信中の放送信号に前記特殊データが多重化されている場合、当該放送信号の送信元の送信局を受信履歴として記憶する記憶部を備え、
前記制御手段は、現在受信中の放送信号の送信局が前記記憶部にすでに受信履歴として記憶されている放送局である場合、前記情報有無判定手段の判定時間である所定時間を長く設定制御することを特徴とする多重放送受信装置。
【請求項３】
放送信号を受信し、所定周期毎に、現在受信中の放送信号に、多重データに含まれる、データが送信されることを確認できることを特徴とする特殊データが多重化されているか否かを所定時間判定する情報有無判定手段と、この情報有無判定手段の判定結果を報知する報知手段とを有する多重放送受信装置であって、
現在受信中の放送信号に、前記多重データが多重化されているか否かを判定する多重判定手段と、
前記多重判定手段にて現在受信中の放送信号に多重データが含まれていると判定されると、前記情報有無判定手段の判定時間である所定時間を長く設定制御すると共に、
前記多重判定手段にて現在受信中の放送信号に多重データが含まれていないと判定されると、前記情報有無判定手段の判定時間である所定時間を短く設定制御する制御手段とを有することを特徴とする多重放送受信装置。
【請求項４】
請求項３に記載の多重放送受信装置は、さらに、
前記情報有無判定手段による判定の結果、現在受信中の放送信号に前記特殊データが多重化されている場合、当該放送信号の送信元の送信局を受信履歴として記憶する記憶部を備え、
前記制御手段は、現在受信中の放送信号の送信局が前記記憶部にすでに受信履歴として記憶されている放送局である場合、前記情報有無判定手段の判定時間である所定時間を長く設定制御することを特徴とする多重放送受信装置。
【発明の詳細な説明】
【０００１】
【発明の属する技術分野】
本発明は、多重放送の放送信号に特殊データが多重化されているか否かを判定する機能、例えばディジタルオーディオブロードキャスティング（以下、単にＤＡＢと称する）放送の放送信号にダイナミックラベルセグメント（以下、単にＤＬＳと称する）が多重化されているか否かを判定する機能を備えたＤＡＢ受信機等の多重放送受信装置に関する。
【０００２】
【従来の技術】
一般的にＤＡＢ放送の放送信号に多重化される多重データであるＤＡＢフレームは、１フレームを２４ｍｓｅｃ周期とし、その音声圧縮をＭＰＥＧフォーマットに準拠しており、このようなＭＰＥＧフォーマットの音声圧縮によってフレーム内に空き容量ができる。
【０００３】
そこで、この空き容量に番組関連情報（以下、単にＰＡＤと称する）が付加されることになる。
【０００４】
また、このＰＡＤには、最大１２８文字まで付加可能とする簡易なテキスト情報としてＤＬＳを付加することができる。図５はＤＬＳを多重化したＤＡＢフレームのデータ構造を示す説明図である。
【０００５】
このようなＤＡＢ放送を受信するＤＡＢ受信機においては、放送信号に多重化されたＤＡＢフレームを受信し、このＤＡＢフレームのＸ−ＰＡＤに含まれるＤＬＳをデコードすることで、例えば現在受信中の放送番組の番組内容を表示部に表示することができる。
【０００６】
そこで、このようなＤＡＢ受信機においては、所定周期毎にＤＡＢフレームのデコード状態を監視することで、現在受信中のＤＡＢフレームのＰＡＤにＤＬＳが含まれているか否かを所定時間判定する情報有無判定部と、その判定結果を表示する表示部とを有している。
【０００７】
この情報有無判定部は、現在受信中のＤＡＢフレームのＰＡＤにＤＬＳが含まれていると判定されると、そのＤＬＳのデコード内容を表示部に表示すると共に、現在受信中のＤＡＢフレームのＰＡＤにＤＬＳが含まれていないと判定されると、ＤＬＳが取得できなかった旨を表示部に表示するようにしていた。
【０００８】
つまり、従来のＤＡＢ受信機によれば、情報有無判定部によるＤＬＳ取得動作中においては図６（ａ）及び（ｂ）に示すようなメッセージを表示部に表示し、ＤＬＳを取得できたと判定されたのであれば、そのデコード内容を図６（ｃ）に示すように表示部に表示するようにしている。
【０００９】
しかし、今後、このようなＤＡＢ放送が本格化する上で、現在、ＤＬＳを伝搬するのに使用していたＸ−ＰＡＤがＤＬＳ以外のデータをも伝搬するのに使用されることが予定されている。
【００１０】
このようなＸ−ＰＡＤで伝搬されるものとして予定されているデータとしては、ＪＰＥＧファイルやＨＴＭＬファイル等で構成するＭＯＴ（Multimedia Object Transfer Protocol）があげられる。
【００１１】
このＭＯＴは、例えば現在受信中の音声放送のＣＤジャケット（画像）や、“この先渋滞１０ｋｍ”のような表示や渋滞箇所を示す地図等の交通情報等を伝搬することができるデータである。
【００１２】
従って、このようにＸ−ＰＡＤでＤＬＳ及びＭＯＴを伝搬する場合には、ＤＡＢフレームのＸ−ＰＡＤを、図７（ａ）に示すようなＭＯＴ及びＤＬＳの時分割で伝送することが予定されている。
【００１３】
図７（ｂ）に示すようにＤＬＳ及びＭＯＴは、複数のＸ−ＰＡＤに分割され、最先のＸ−ＰＡＤには先頭ヘッダとしてＣ１が付加されており、例えばＤＬＳは図７（ｂ）及び（ｃ）に示すように３つのＸ−ＰＡＤで構成し、最先のＸ−ＰＡＤには先頭ヘッダＣ１が付加されている。また、同様に、その後のＭＯＴは、図７（ｂ）及び（ｃ）に示すように４つのＸ−ＰＡＤで構成し、最先のＸ−ＰＡＤには先頭ヘッダとしてＣ１が付加されている。
【００１４】
つまり、ＤＬＳ及びＭＯＴは、一乃至複数のＸ−ＰＡＤで構成され、ＤＡＢ受信機の情報有無判定部側では、所定周期毎に、これらＤＡＢフレーム内からＸ−ＰＡＤを監視し、ＤＬＳの取得有無を判定する処理を行っている。
【００１５】
【発明が解決しようとする課題】
しかしながら、従来のＤＡＢ受信機によれば、ＤＬＳ及びＭＯＴが時分割でＰＡＤに伝搬される場合であっても、情報有無判定部の判定開始タイミングは所定周期毎に行われ、しかも、その情報有無判定部の判定時間Ｔは固定であるため、例えば図３（ａ）に示すようにＭＯＴのデコード中に情報有無判定部の判定開始タイミング及び判定時間Ｔが終了してしまった場合、現在受信中のＤＡＢフレームにＤＬＳが多重化されているにも関わらず、ＤＬＳが多重化されていないと判断され、ＤＬＳが取得できない旨を表示部に表示され、ＤＬＳの取得状況を誤報知してしまうといった問題点があった。
【００１６】
また、単純に、情報有無判定部の判定時間を単純に長くすることも考えられるが、例えばＤＬＳを含まないＤＡＢフレームを受信した場合、その判定時間が長いため、ＤＬＳが取得できない旨の表示が遅くなるといった問題点があった。
【００１７】
本発明は上記問題点に鑑みてなされたものであり、その目的とするところは、ＤＬＳ等の特殊データの取得状況をユーザーに的確に報知することができる多重放送受信装置を提供することにある。
【００１８】
【課題を解決するための手段】
上記目的を達成するために本発明の多重放送受信装置は、放送信号を受信し、所定周期毎に、現在受信中の放送信号にデータが送信されることを確認できることを特徴とする特殊データが多重化されているか否かを所定時間判定する情報有無判定手段と、この情報有無判定手段の判定結果を報知する報知手段とを有する多重放送受信装置であって、現在受信中の放送信号の受信状態を検出する受信状態検出手段と、前記受信状態検出手段にて現在受信中の放送信号の受信状態が所定レベル未満となると、前記情報有無判定手段の判定時間である所定時間を短く設定制御すると共に、前記受信状態検出手段にて現在受信中の放送信号の受信状態が所定レベル以上となると、前記情報有無判定手段の判定時間である所定時間を長く設定制御する制御手段とを有するようにした。
【００１９】
従って、本発明の多重放送受信装置によれば、現在受信中の放送信号の受信状態が所定レベル未満となると、特殊データを取得しにくい状況であると判断して、情報有無判定手段の判定時間である所定時間を短く設定制御すると共に、現在受信中の放送信号の受信状態が所定レベル以上となると、特殊データを取得しやすい状況であると判断して、情報有無判定手段の判定時間である所定時間を長く設定制御するようにしたので、特殊データの取得状況を的確にユーザーに報知することができる。
【００２０】
本発明の多重放送受信装置の一つの態様では、前記情報有無判定手段による判定の結果、現在受信中の放送信号に前記特殊データが多重化されている場合、当該放送信号の送信元の送信局を受信履歴として記憶する記憶部を備え、前記制御手段は、現在受信中の放送信号の送信局が前記記憶部にすでに受信履歴として記憶されている放送局である場合、前記情報有無判定手段の判定時間である所定時間を長く設定制御することを特徴とする。
【００２１】
従って、本発明の多重放送受信装置の一つの態様によれば、現在受信中の放送信号の送信局が前記記憶部にすでに受信履歴として記憶されている放送局である場合、前記情報有無判定手段の判定時間である所定時間を長く設定制御するようにしたので、特殊データの取得漏れをより確実に防止することができる。
【００２２】
本発明の多重放送受信装置は、放送信号を受信し、所定周期毎に、現在受信中の放送信号に、多重データに含まれる、データが送信されることを確認できることを特徴とする特殊データが多重化されているか否かを所定時間判定する情報有無判定手段と、この情報有無判定手段の判定結果を報知する報知手段とを有する多重放送受信装置であって、現在受信中の放送信号に、前記多重データが多重化されているか否かを判定する多重判定手段と、前記多重判定手段にて現在受信中の放送信号に多重データが含まれていると判定されると、前記情報有無判定手段の判定時間である所定時間を長く設定制御すると共に、前記多重判定手段にて現在受信中の放送信号に多重データが含まれていないと判定されると、前記情報有無判定手段の判定時間である所定時間を短く設定制御する制御手段とを有するようにした。
【００２３】
従って、本発明の多重放送受信装置によれば、現在受信中の放送信号に多重データが含まれていると判定されると、特殊データが取得されやすい状況であると判断し、情報有無判定手段の判定時間である所定時間を長く設定制御すると共に、現在受信中の放送信号に多重データが含まれていないと判定されると、特殊データが取得されにくい状況であると判断して、情報有無判定手段の判定時間である所定時間を短く設定制御するようにしたので、特殊データの取得状況をユーザーに確実に報知することができる。
【００２４】
本発明の多重放送受信装置の一つの態様では、前記情報有無判定手段による判定の結果、現在受信中の放送信号に前記特殊データが多重化されている場合、当該放送信号の送信元の送信局を受信履歴として記憶する記憶部を備え、前記制御手段は、現在受信中の放送信号の送信局が前記記憶部にすでに受信履歴として記憶されている放送局である場合、前記情報有無判定手段の判定時間である所定時間を長く設定制御することを特徴とする。
【００２５】
本発明の多重放送受信装置の一つの態様によれば、現在受信中の放送信号の送信局が前記記憶部にすでに受信履歴として記憶されている放送局である場合、前記情報有無判定手段の判定時間である所定時間を長く設定制御するようにしたので、特殊データの取得漏れをより確実に防止することができる。
【００２６】
【発明の実施の形態】
以下、図面に基づいて本発明の多重放送受信装置における実施の形態を示すＤＡＢ受信機について説明する。図1は本実施の形態に示すＤＡＢ受信機内部の概略構成を示すブロック図である。
【００２７】
図１に示すＤＡＢ受信機１０は、ＤＡＢ放送を受信する受信アンテナ１１と、この受信アンテナ１１にて受信したＤＡＢ放送を同調するＤＡＢチューナ部１２と、このＤＡＢチューナ部１２にて同調されたＤＡＢ放送をディジタル変換するＡ／Ｄ変換部１３と、このディジタル変換されたＤＡＢ放送から多重データであるＤＡＢフレームをデコードするＤＡＢデコーダ部１４と、このＤＡＢフレームの内、オーディオデータを抽出するＭＰＥＧデコーダ部１５と、このオーディオデータをアナログ変換するＤ／Ａ変換部１６と、このアナログ変換されたオーディオ信号を音声出力するスピーカ１７と、ＤＡＢ受信機１０に関わる命令を入力する操作部１９と、ＤＡＢ受信機１０に関わる情報を報知する表示部２０と、このＤＡＢ受信機１０全体を制御するＣＰＵ２１とを有している。
【００２８】
ＣＰＵ２１は、ＤＡＢデコーダ部１４で検出／計算された、現在受信中のＤＡＢ放送のＢＥＲが所定レベル以上となると、現在受信中の放送番組の受信状態が劣化したものと判断するものである。
【００２９】
ＣＰＵ２１は、所定周期毎にＤＡＢフレーム内のＰＡＤにＤＬＳが多重化されているか否かを判定するものであり、そのＤＬＳ判定時間は現在受信中のＤＡＢ放送の受信状況に応じて可変するようにしている。
【００３０】
さらに、ＣＰＵ２１は、ＭＰＥＧデコーダ部１５を通じて、ＤＡＢフレーム内のＰＡＤを抽出し、このＰＡＤ内のＤＬＳやＭＯＴをデコードし、このデコードされた内容を表示部２０に表示するようにしたものである。
【００３１】
ＣＰＵ２１には、ＤＬＳを取得した場合には、このＤＬＳを放送していたＤＡＢ放送を受信履歴として記憶するものである。
【００３２】
尚、請求項記載の情報有無判定手段、受信状態検出手段、多重判定手段及び制御手段は、ＣＰＵ２１に相当するものであり、請求項記載の報知手段は表示部２０に相当するものである。
【００３３】
では、ＤＡＢ受信機１０の動作について説明する。図２はＤＬＳ判定処理に関わるＣＰＵ２１の処理動作を示すフローチャートである。
【００３４】
このＤＬＳ判定処理は、所定周期毎に起動するものであり、現在受信中のＤＡＢ放送に関わるＤＡＢフレームからＤＬＳを取得することができたか否かを判定し、ＤＬＳを取得することができたのであれば、このＤＬＳのデコード内容を表示部２０に表示すると共に、ＤＬＳを取得することができたのでなければ、ＤＬＳを取得できない旨を表示部２０に表示することで、ＤＬＳの取得状況をユーザーに報知するようにした処理である。
【００３５】
図２に示すＣＰＵ２１は、所定周期毎に起動を開始して、このＤＬＳ判定処理の実測時間を計時する監視タイマを起動する（ステップＳ１０）。尚、この監視タイマは、この処理動作を終了したときにリセットされるものである。
【００３６】
さらに、ＣＰＵ２１は、現在受信中のＤＡＢ放送に関わるＤＡＢフレーム内にＤＬＳが多重化されているか否かを判定するＤＬＳ判定時間Ｔを初期値ｔ１として設定し（ステップＳ１１）、ＢＥＲの検出結果に基づいて、現在受信中のＤＡＢ放送の受信状態を検出し、この受信状態がＯＫであるか否かを判定する（ステップＳ１２）。
【００３７】
この受信状態がＯＫであると判定されると、現在受信中のＤＡＢ放送に関わるＤＡＢフレーム内にＰＡＤが多重化されているか否かを判定する（ステップＳ１３）。
【００３８】
現在受信中のＤＡＢ放送に関わるＤＡＢフレーム内にＰＡＤが多重化されているのであれば、ＤＬＳが取得できる可能性が高いものと判断し、現在設定中のＤＬＳ判定時間Ｔを長くするために、そのＤＬＳ判定時間Ｔ１（Ｔ１＝ｔ１＋ｔ２）に設定する（ステップＳ１４）。
【００３９】
さらに、受信履歴に基づいて、現在受信中のＤＡＢ放送がＤＬＳを送信する放送局であるか否かを判定する（ステップＳ１５）。現在受信中のＤＡＢ放送がＤＬＳを送信する放送局であると判定されると、ＤＬＳが取得できる可能性は一段と高いものと判断し、現在設定中のＤＬＳ判定時間を長くするために、そのＤＬＳ判定時間Ｔ２（Ｔ２＝ｔ１＋ｔ２＋ｔ３）に設定し（ステップＳ１６）、現在受信中のＤＡＢ放送に関わるＤＡＢフレーム内からＤＬＳを取得することができたか否かを判定する（ステップＳ１７）。
【００４０】
ＤＡＢフレーム内からＤＬＳを取得することができたのであれば、現在設定中のＤＬＳ判定時間内にＤＬＳを取得できたものと判断し、この取得できたＤＬＳをデコードし、図４（ａ）に示すように、このデコード内容を表示部２０に表示し（ステップＳ１８）、この処理動作を終了する。
【００４１】
ステップＳ１７にてＤＬＳを取得することができたのでなければ、監視タイマによる計時中の実測時間が、現在設定中のＤＬＳ判定時間を経過したか否かを判定する（ステップＳ１９）。現在設定中のＤＬＳ判定時間を経過したのでなければ、現在判定動作中である旨を報知すべく、“ＷＡＩＴ”を表示部２０に表示し（ステップＳ２０）、再びステップＳ１１に移行する。尚、ここで、ステップＳ１１に移行するようにしたのは、刻々と受信状態が変化するのに対応するためである。
【００４２】
ステップＳ１９にて現在設定中のＤＬＳ判定時間を経過したのであれば、ＤＬＳを取得できなかった旨を報知すべく、図４（ｂ）に示すように“Dynamic Label Unavailable（ＮＧ）”を表示部２０に表示し（ステップＳ２１）、この処理動作を終了する。
【００４３】
また、ステップＳ１２にて現在受信中のＤＡＢ放送の受信状態がＮＧであれば、現在受信中のＤＡＢ放送に関わるＤＡＢフレーム内にＤＬＳが多重化されている可能は低いものと判断し、現在設定中のＤＬＳ判定時間を短くすべく、そのＤＬＳ判定時間Ｔ３（Ｔ３＝ｔ１−ｔ４）に設定し（ステップＳ２２）、ステップＳ１３に移行する。但し、ｔ４＜ｔ１とする。
【００４４】
ステップＳ１５にて現在受信中のＤＡＢ放送の受信履歴がなければ、ステップＳ１７に移行する。
【００４５】
図２に示すＤＬＳ判定処理においては、通常のＤＬＳ判定時間を図３（ａ）に示すような時間Ｔとし、現在受信中のＤＡＢ放送の受信状態がＯＫの場合には通常のＤＬＳ判定時間Ｔよりも長くすべく、図３（ｂ）に示すような時間Ｔ１とし、現在受信中のＤＡＢ放送の受信状態がＯＫで、しかも、受信履歴に基づいて、このＤＡＢ放送がＤＬＳを送信する放送局であると認識することができた場合には、そのＤＬＳ判定時間をＤＬＳ判定時間Ｔ１よりも長くすべく、図３（ｃ）に示すような時間Ｔ２とし、さらに、現在受信中のＤＡＢ放送の受信状態がＮＧの場合には、そのＤＬＳ判定時間を通常のＤＬＳ判定時間Ｔよりも短くすべく、図３（ｄ）に示すような時間Ｔ３とし、そのＤＬＳ判定時間を可変設定するようにしている。
【００４６】
本実施の形態によれば、ＤＡＢ放送の受信状態がＯＫの場合にはＤＬＳ判定時間を長く設定し、さらに現在受信中のＤＡＢ放送がＰＡＤを多重化していると判定され場合にはＤＬＳを取得できる可能性が非常に高いと判断してＤＬＳ判定時間を長く設定するようにしたので、ＤＬＳの取得漏れを確実に防止すると共に、ＤＡＢ放送の受信状態がＮＧの場合にはＤＬＳを取得できる可能性は非常に低いと判断してＤＬＳ判定時間を短く設定するようにしたので、無駄なＤＬＳ判定時間を極力抑えることができる。
【００４７】
このように本実施の形態によれば、現在受信中のＤＡＢ放送にＤＬＳが多重化されているにも関わらず、ＤＬＳ取得漏れを確実に防止することで、ＤＬＳの取得状況を的確に報知することができる。
【００４８】
尚、上記実施の形態においては、ＢＥＲの検出結果に基づいて、現在受信中のＤＡＢ放送の受信状態が良好であるか否かを判定するようにしたが、現在受信中のＤＡＢ放送のＡＦＣやＭＰＥＧ同期等に基づいて、現在受信中のＤＡＢ放送の受信状態が良好であるか否かを判定するようにしても良い。
【００４９】
【発明の効果】
上記のように構成された本発明の多重放送受信装置によれば、現在受信中の放送信号の受信状態が良ければ、特殊データを取得することができる可能性を上げるため、情報有無判定手段の判定時間を長くし、特殊データの取得状況をユーザーに確実に報知することができる。
【００５０】
また、本発明の多重放送受信装置によれば、現在受信中の放送信号に多重データが多重化されているのであれば、特殊データを取得することができる可能性を上げるため、情報有無判定手段の判定時間を長くし、特殊データの取得状況をユーザーに確実に報知することができる。
【図面の簡単な説明】
【図１】本発明の多重放送受信装置における実施の形態を示すＤＡＢ受信機内部の概略構成を示すブロック図である。
【図２】本実施の形態に示すＤＡＢ受信機のＤＬＳ判定処理に関わるＣＰＵの処理動作を示すフローチャートである。
【図３】本実施の形態に示すＤＡＢ受信機のＤＬＳ判定時間を端的に示す説明図である。
【図４】本実施の形態に示すＤＡＢ受信機のＤＬＳ取得に関わる表示遷移を端的に示す説明図である。
ａ）ＤＬＳを取得することができた場合
ｂ）ＤＬＳを取得することができなかった場合
【図５】一般的なＤＬＳを多重化したＤＡＢフレームのデータ構成を示す説明図である。
【図６】従来のＤＡＢ受信機においてＤＬＳを取得することができなかった場合の表示部の表示遷移を端的に示す説明図である。
【図７】一般的なＤＬＳ及びＭＯＴを多重化したＤＡＢフレームのデータ構成を示す説明図である。
【符号の説明】
１０  ＤＡＢ受信機（多重放送受信装置）
２０  表示部（報知手段）
２１  ＣＰＵ（情報有無判定手段、受信状態検出手段、多重判定手段、制御手段）
【図１】
0004394242.tif 000002
【図２】
0004394242.tif 000003
【図３】
0004394242.tif 000004
【図４】
0004394242.tif 000005
【図５】
0004394242.tif 000006
【図６】
0004394242.tif 000007
【図７】
0004394242.tif 000008